(57)【要約】【課題】画像形成装置において、操作者の操作内容の秘匿性を高めたり、操作者以外には操作内余とは別の情報を表示できるようにして、操作性を高めることの出来る画像形成装置を提供する。【解決手段】画像形成装置は、液晶表示器３と、この視野角を制御できるＬＣＤ駆動部を備えている。オペレータが操作を開始するまでの待機時においては、ＬＣＤ駆動部液晶表示器の視野角を広視野角に制御し、オペレータが操作を開始した動作時においては、ＬＣＤ駆動部は液晶表示器の視野角を狭視野角に制御する。【選択図】  図３
2007083425.tif 000002
【特許請求の範囲】
【請求項１】
オペレータに対して情報を表示する情報表示部と、この情報表示部に表示された情報に基づいて画像データの処理に関する操作指示を行う操作部とを備え、この操作部での指示内容に基づいて画像データの処理を行う画像処理装置において、
上記情報表示部は、前記操作部の前でオペレータが操作指示をしている動作中と前記操作部の前でオペレータが操作指示をしていない待機中とで、それぞれ前記表示部において表示する情報の視野角を変更することを特徴とする画像処理装置。  
【請求項２】
オペレータに対して情報を表示する情報表示部と、この情報表示部に表示された情報に基づいて画像データの処理に関する操作指示を行う操作部とを備え、この操作部での指示内容に基づいて画像データの処理を行う画像処理装置において、
上記情報表示部は、前記表示部の表示視野を操作部前方区画とその片側又は両側の区画を含む複数区画に分離し、それぞれの区画に対応する表示部での表示情報を異なった情報にすることを特徴とする画像処理装置。
【請求項３】
前記情報表示部は、前記操作部前方区画に対応する表示部での表示情報を画像データの処理に関する情報に設定し、前記片側又は両側の区画に対応する表示部での表示情報を予め定めた広告情報に設定することを特徴とする請求項２記載の画像処理装置。
【請求項４】
前記前記情報表示部は、前記操作部前方区画に対応する表示部での表示情報を画像データの処理に関する情報に設定し、前記片側又は両側の区画に対応する表示部での表示情報を装置本体の状態情報に設定することを特徴とする請求項２記載の画像処理装置。
【発明の詳細な説明】
【技術分野】
【０００１】
この発明は、見る角度によって表示内容が異なる表示部を採用した画像形成装置に関する。
【背景技術】
【０００２】
従来の画像形成装置の操作部には、一般的に液晶表示器が使用されているが、その視野角は固定である。また、コンビニエンスストアや多くの人が周囲にいる環境下に画像形成装置が設置される場合、待機時において表示器に広告情報を表示することによって画像形成装置の表示器の有効利用を図るものもあった。
【０００３】
一方、特許文献１には、視野角に対応した表示を行うゲーム装置が示されている。この装置では、パララックスバリアやレンチキュラレンズを用いて、視野を複数区画に分離している。
【特許文献１】特開２００４−１１３５８６号公報
【発明の開示】
【発明が解決しようとする課題】
【０００４】
しかし、視野角が固定の装置では、ユーザの操作内容は周囲の人からも見えることがありセキュリティの見地から問題があった。また、待機時において表示器に広告情報を表示するものでは、オペレータの操作時には広告情報が表示されないために、広告の効果を高めるには限界があった。また、特許文献１に示される表示器は、ゲーム装置に適用されるものであり、セキュリティの見地で設けたものではなく、また、操作者とそれ以外の人に対する表示情報を区別するものでもない。
【０００５】
この発明は、画像形成装置において、操作者の操作内容の秘匿性を高めたり、操作者以外には操作内余とは別の情報を表示できるようにして、操作性を高めることの出来る画像形成装置を提供することを目的としている。
【課題を解決するための手段】
【０００６】
この発明は、オペレータに対して情報を表示する情報表示部と、この情報表示部に表示された情報に基づいて画像データの処理に関する操作指示を行う操作部とを備え、この操作部での指示内容に基づいて画像データの処理を行う画像処理装置において、
上記情報表示部は、前記操作部の前でオペレータが操作指示をしている動作中と前記操作部の前でオペレータが操作指示をしていない待機中とで、それぞれ前記表示部において表示する情報の視野角を変更することを特徴とする。
【０００７】
上記構成において、情報表示部は、オペレータが動作中において視野角を狭くし、待機中において視野角を広くすることで、待機中では装置の状態が分かりやすく、動作中ではセキュリティが高くなる。
【０００８】
また、この発明は、オペレータに対して情報を表示する情報表示部と、この情報表示部に表示された情報に基づいて画像データの処理に関する操作指示を行う操作部とを備え、この操作部での指示内容に基づいて画像データの処理を行う画像処理装置において、
上記情報表示部は、前記表示部の表示視野を操作部前方区画とその片側又は両側の区画を含む複数区画に分離し、それぞれの区画に対応する表示部での表示情報を異なった情報にすることを特徴とする。
【０００９】
上記片側又は両側の区画とは、操作部前方区画に対して左右方向の区画又は上下方向の区画を意味する。
【００１０】
上記構成において、情報表示部は、操作部前方区画において画像形成装置に関する操作情報を表示し、その片側又は両側の区画において広告などの情報を表示することで、オペレータにより操作が行われているときも、それ以外の人に対して広告表示等を行うことが出来る。例えば、コンビニエンスストア等で効果的である。
【００１１】
また、情報表示部は、操作部前方区画において画像形成装置に関する操作情報を表示し、その片側又は両側の区画において装置本体の状態情報を表示することで、利用者は操作部前方区画の表示情報を確認できる位置にまで行かなくても、その片側又は両側の区画の視野内に入れば状態情報を知ることができる。通常、操作部前方区画は、利用者の操作性を考慮して前方斜め上方に視野がくるように設定されるが、このようにすると、遠方にいる人は操作部前方区画の表示情報を視認できない。そこで、その下方の区画の視野方向を装置設置面に平行にし、表示情報を装置本体の状態情報にしておくと、遠方からでも装置本体の状態情報を視認可能となる。
【発明の効果】
【００１２】
この発明によれは、画像形成装置のセキュリティを高めることができ、また、操作中においても画像形成に無関係の情報を表示できるため表示器の利用性を高めることができるなど、視野角や区画設定により、画添形成装置の表示器の利用性を飛躍的に高めることができる。
【発明を実施するための最良の形態】
【００１３】
図１はこの発明の実施形態である画像形成装置の外観図である。
【００１４】
画像形成装置本体１の前方部には、操作部２が設けられ、この操作部２に、液晶表示器３、操作キー４、コピースタートキー５が設けられている。
【００１５】
液晶表示器３には、視野角を制御できる構造のものが使用される。通常は、ＴＦＴ液晶ディスプレイ上に「スイッチ液晶」を設け、その液晶分子の複屈折を応用してバックライトからの光を次のように制御する。
【００１６】
１) 正面方向へはそのまま光を通す。
【００１７】
２) 左右への光はスイッチ液晶により遮蔽する。
【００１８】
図２は、上記液晶表示器３を用いた画像形成装置の概略ブロック図である。
【００１９】
制御部１０には、画像形成プロセス制御部１１、操作キー４、ＬＣＤ駆動部１１が接続されている。ＬＣＤ駆動部１１には液晶表示器３が接続されている。制御部１０からは、ＬＣＤ駆動部１１に対して視野角制御信号と表示データが出力される。
【００２０】
上記の構成において、オペレータにより操作キー４のいずれかが操作されるまでは、待機中とみなされ、視野角制御信号は「広視野角」信号に設定され、オペレータにより操作キー４のいずれかが操作されると動作中となり、視野角制御信号は「狭視野角」信号に設定される。ＬＣＤ駆動部１１が上記「広視野角」信号又は「狭視野角」信号を受けて、ＬＣＤ３に対する視野角の制御を行う。
【００２１】
図３は「広視野角」状態（同図（Ａ））と「狭視野角」状態（同図（Ｂ））をそれぞれ示している。「広視野角」状態（同図（Ａ））では、ａ〜ｃの三人が共に液晶表示器３の表示情報を視認できるが、「狭視野角」状態（同図（Ｂ））では、操作部前方にいるｂのみが同表示情報を視認できる。このような視野角制御により、待機中は、広告情報を表示し、動作中になるとオペレータの操作に必要な情報（画像形成装置の動作に関する情報）に切り換える。
【００２２】
この発明の第２の実施形態は、前記液晶表示器３の表示視野を操作部前方区画とその片側又は両側の区画を含む複数区画に分離し、それぞれの区画に対応する表示情報を異なった情報にする。
【００２３】
液晶表示器３は、表示素子をコラム方向（列方向）に分離し、コラム毎に表示する画像を選ぶ。例えば、コラムをＡ，Ｂ，Ｃの繰り返しとし、コラムＡのグループには第１の画像を表示し、コラムＢのグループには第２の画像を表示し、コラムＣのグループには第３の画像を表示する。また、コラム毎の表示区画を設定するには、液晶表示器３の表示面に透過部・非透過部が交互となる視差バリアを設け、この視野バリアにより液晶バックライトの光を左右に振り分ける。
【００２４】
図４は、この状態を示している。画像形成装置本体の操作部前方区画には、コラムＢに割り当てられている画像が表示され、操作部前方区画の左側の区画にはコラムＡに割り当てられている画像が表示され、操作部前方区画の右側の区画にはコラムＣに割り当てられている画像が表示されている。
【００２５】
図５は表示例である。この例では、操作部前方区画には、画像データの処理に関する情報（基本画面）が表示され。その左右の区画には、広告情報が表示されている。
【００２６】
なお、オペレータが操作キー４を操作するまでの待機中においては、操作部前方区画の表示情報も広告情報となる。この場合は、コラムＡ〜Ｃの情報を全て同じにしても良い。
【００２７】
本実施形態の応用例としては、図６のような例が考えられる。図６では、液晶表示器３の表示画素をロウ（行）ＡとロウＢの上下方向に分離している。そして、ロウＡに第１の画像を表示し、ロウＢに第２の画像を表示する。視野区画を設定する視野バリアは、ロウＡについては視野方向がやや上方となるように、ロウＢについては視野方向が装置設置面に平行となるようにバリア角が設定される。これにより、装置本体の前にいるオペレータに対しては、ロウＡにより画像データの処理に関する情報（基本画面）を表示することができ、装置から離れている人に対してはそれ以外の情報、例えば、装置本体の状態情報を表示することができる。このため、装置から離れている人は、装置の前に行かなくても、大まかな状態情報を知ることができる。
【図面の簡単な説明】
【００２８】
【図１】この発明の実施形態である画像形成装置の外観図
【図２】上記画像形成装置の概略ブロック図
【図３】液晶表示器の「広視野角」状態と「狭視野角」状態を示す図
【図４】表示画像の分離方法を示す図
【図５】表示例を示す図
【図６】表示画像の分離方法の他の例を示す図
【図１】
2007083425.tif 000003
【図２】
2007083425.tif 000004
【図３】
2007083425.tif 000005
【図４】
2007083425.tif 000006
【図５】
2007083425.tif 000007
【図６】
2007083425.tif 000008